(57)【要約】【課題】塗布体収納時のポンプアップ現象や液体化粧料の噴出をシゴキにより防止するとともに、該シゴキを簡易且つ安価に製造する。【解決手段】シゴキ片８の表面は、二分割したシゴキ片分割部８ａ間の境界に挿嵌孔９の内周縁９ａからシゴキ本体７の内周面７ａ方向へ段差８ｂを形成することにより塗布体１２収納時には、固持軸１１の側面１１ａとシゴキ片８の表面の段差８ｂとにより形成される空気流通路１４により塗布容器本体２内のシゴキ６内の空気を円滑に排出できるので圧縮空気は発生せず、ポンプアップ現象や液体化粧料の噴出を防止することができるとともに、シゴキはその形状が単純化されて簡易かつ安価に製造することができる。【選択図】図１
2010246655.tif 000002
【特許請求の範囲】
【請求項１】
液体化粧料を貯留するとともに、外周面に雄ネジ部を螺設し、その内部に弾性を有するシゴキを内装する開口部を形成する塗布容器本体と、その開口部内に雌ネジ部を螺設するとともに、その根元部を挿嵌する固持軸の先端に塗布体を固持してなるキャップとから構成され、
上記シゴキは、塗布容器本体の開口部内に挿嵌保持される略円筒状のシゴキ本体と、該シゴキ本体の内周面全周にわたり、その先端の内周縁を前記固定軸の外径よりも略小径とする挿嵌孔を配設してなる逆円錐台形状に形成されたシゴキ片とからなり、
該シゴキ片の表面は、挿嵌孔の内周縁からシゴキ本体の内周面方向へ単数又は複数の段差を形成する
ことを特徴とする液体化粧料塗布容器。
【請求項２】
液体化粧料を貯留するとともに、外周面に雄ネジ部を螺設し、その内部に弾性を有するシゴキを内装する開口部を形成する塗布容器本体と、その開口部内に雌ネジ部を螺設するとともに、その根元部を挿嵌する固持軸の先端に塗布体を固持してなるキャップとから構成され、
上記シゴキは、塗布容器本体の開口部内に挿嵌保持される略円筒状のシゴキ本体と、該シゴキ本体の内周面全周にわたり、その先端の内周縁を前記固定軸の外径よりも略小径とする挿嵌孔を配設してなる逆円錐台形状に形成されたシゴキ片とからなり、
該シゴキ片の表面は、複数のシゴキ片分割部に分割し、複数のシゴキ片分割部のうち隣り合うシゴキ片分割部との境界に挿嵌孔の内周縁からシゴキ本体の内周面方向へ複数の段差を形成する
ことを特徴とする液体化粧料塗布容器。
【請求項３】
液体化粧料を貯留するとともに、外周面に雄ネジ部を螺設し、その内部に弾性を有するシゴキを内装する開口部を形成する塗布容器本体と、その開口部内に雌ネジ部を螺設するとともに、その根元部を挿嵌する固持軸の先端に塗布体を固持してなるキャップとから構成され、
上記シゴキは、塗布容器本体の開口部内に挿嵌保持される略円筒状のシゴキ本体と、該シゴキ本体の内周面全周にわたり、その先端の内周縁を前記固定軸の外径よりも略小径とし、その一部に内径方向へ突出して形成される小径部を有する挿嵌孔を配設してなる逆円錐台形状に形成されたシゴキ片とからなり、
該シゴキ片の表面は、シゴキ片の挿嵌孔の内周縁に形成される小径部に連なる突条部を挿嵌孔の内周端縁からシゴキ本体の内周面方向へ突設することで、該突条部の両側に沿って複数の段差を形成する
ことを特徴とする液体化粧料塗布容器。
【請求項４】
上記キャップ内に根元部を挿嵌し、その先端に塗布体を固持する固持軸の側面に係合部を、シゴキを構成するシゴキ本体の内周面において、該固持軸の側面の係合部と密嵌する被係合部を配設してなる
ことを特徴とする請求項１乃至３記載の液体化粧料塗布容器。
【発明の詳細な説明】
【技術分野】
【０００１】
本願発明は、リップグロス等の液体化粧料を収容する液体化粧料塗布容器に関するものである。
【背景技術】
【０００２】
従来の液体化粧料塗布容器内には、リップグロス等の液体化粧料を貯留する塗布容器本体とともに液体化粧料塗布容器を構成する蓋体と一体となる固定軸及び固定軸の先端に固持される塗布体の表面に過剰に付着した液体化粧料を適宜拭い去ることができるように、その開口部にシゴキが内装されている。即ち、該シゴキは略円筒形状のシゴキ本体と、該シゴキ本体内の内周面において先端に挿嵌孔を配設するように逆円錐台形状に弾性を有するシゴキ片が形成されるとともに、該シゴキ片の挿嵌孔の内径は固定軸の外径よりも略小径とするものである。
そのため、液体化粧料塗布容器を構成する蓋体に固定軸を介して固持される塗布体を取り出す際には、該蓋体に一体となる固定軸及び該固定軸の先端に固持された塗布体の表面に対して弾性体であるシゴキ片が密着するため、固定軸及び該固定軸の先端に固持された塗布体の表面に過剰に付着した液体化粧料は適度に拭い去られ、液だれ等の発生を防止できる。
【０００３】
ところで、蓋体に固定軸を介して固持される塗布体を塗布容器本体内に収納する際には、固定軸の側面及び該固定軸の先端に固持された塗布体の表面に対してシゴキのシゴキ片が密着する。
そのため、塗布容器本体内におけるシゴキ内では、挿入した固定軸及び該固定軸の先端に固持された塗布体の体積分だけ空気が圧縮される。
その結果、シゴキ内の圧縮空気の反発により蓋体が飛び出してしまう、いわゆるポンプアップ現象が発生し、又は塗布容器本体内に貯留する液体化粧料が噴出することがある。
その上、塗布容器本体内に貯留する液体化粧料がリップグロス等の油性の液体化粧料であってはシゴキ片の固持軸の側面に対する摩擦力が低下し、上記ポンプアップ現象や液体化粧料の噴出が顕著に発生し易くなる。
【０００４】
そこで、塗布体を塗布容器本体内に収納する際に発生するポンプアップ現象や液体化粧料の噴出を防止するため、シゴキを複数のシゴキ片に分割するとともに、分割したシゴキ片は全体として塗布具の塗布軸の側面及び塗布ブラシの表面に対して全周に亘り密着するものの、各々のシゴキ片は垂直方向に段違いに配置してなるものが提案されている（特許文献１、２参照）。即ち、該シゴキでは、塗布具の塗布軸及び塗布ブラシを収納容器本体内に収納する際に、該収納容器本体内の空気は分割されたシゴキ片が形成する空間を通して外部へ排出され、圧縮空気は発生することはない。そのため、ポンプアップ現象や液体化粧料の噴出は確実に防止することができる。
【０００５】
しかしながら、上述のようにシゴキを複数のシゴキ片に分割するものであっては、製造上、成形するシゴキ片の配置に合わせて金型の上下のピンを段違いに組み合わせる必要があるため金型が複雑となる。その結果、金型費用が大幅に増大してしまうものである。
【０００６】
その上、前記金型の上下のピンには成形時に高い圧力がかかる上、反復する金型の開閉及び成形品の取り出しにより摩耗が激しくなる。そのため、金型の密着性が低下して成形品にバリ等が発生し易くなる。そこで、頻繁にメインテナンスを行う必要があるので、維持コストの増大をも招来するものである。
【先行技術文献】
【特許文献】
【０００７】
【特許文献１】実開昭６２−１２７２１４号公報
【特許文献２】特許第３８５４８２４号公報
【発明の概要】
【発明が解決しようとする課題】
【０００８】
解決しようとする問題点は、ポンプアップ現象や液体化粧料の噴出をも確実に防止できるシゴキを簡易且つ安価に製造することができないという点である。
【課題を解決するための手段】
【０００９】
第１の特徴として、
液体化粧料を貯留するとともに、外周面に雄ネジ部を螺設し、その内部に弾性を有するシゴキを内装する開口部を形成する塗布容器本体と、その開口部内に雌ネジ部を螺設するとともに、その根元部を挿嵌する固持軸の先端に塗布体を固持してなるキャップとから構成され、
上記シゴキは、塗布容器本体の開口部内に挿嵌保持される略円筒状のシゴキ本体と、該シゴキ本体の内周面全周にわたり、その先端の内周縁を前記固定軸の外径よりも略小径とする挿嵌孔を配設してなる逆円錐台形状に形成されたシゴキ片とからなり、
該シゴキ片の表面は、挿嵌孔の内周縁からシゴキ本体の内周面方向へ単数又は複数の段差を形成するものである。
【００１０】
そのため、キャップに固持軸を介して固持される塗布体を収納するために塗布体容器本体内にシゴキを通じて挿入すると、塗布体を固持する固持軸の側面に対してシゴキのシゴキ片の表面は弾性を持って密着する。
そして、該シゴキの表面には単数又は複数の段差が形成されているので、固持軸の側面とシゴキの表面に形成される該段差とにより空間が形成される。しかも、シゴキの表面に形成される前記段差はシゴキの挿嵌孔の内周縁からシゴキ本体の内周面方向へ形成されているので、固持軸の側面と該シゴキの表面の段差とで形成される空間は、塗布容器本体の開口部内に内装するシゴキ内と外部とを連通する空気流通路となる。
その結果、シゴキ内の空気は塗布体の挿入に応じて空気流通路より外部へ排出可能となるので、塗布体をシゴキを通して塗布容器本体内に収納しても、圧縮空気は発生せず、キャップのポンプアップ現象や液体化粧料の噴出を防止することができる。
【００１１】
ここで、塗布容器本体の開口部に内装されるシゴキにおいて、先端に塗布体を固持する固持軸の側面と密着する弾性を有するシゴキ片は、シゴキ本体内の内周面途中において一体に形成されるもの（図３参照）の他、円筒状のシゴキ本体における塗布容器本体の底部方向での開口において一体に形成されるものであっても良いものである（図６参照）。
【００１２】
また、シゴキの表面に形成される段差の長さは、塗布容器本体内におけるシゴキ内の空気を外部へ排出する空気流通路の長さに相当するものである。従って、シゴキ片の表面に形成される段差の長さは、塗布体を収納した際に固持軸の側面に弾性をもって変形して密着することとなるシゴキ片の一部以上の内周縁からの長さが最低限必要となる。
【００１３】
なお、塗布容器本体の開口部内に内装されるシゴキは、複数に分割して構成されるものではなくシゴキ本体の内周面において逆円錐台形状として一体的に形成されて単純な形状となるので、簡易に製造することができるものとなる。
【００１４】
第２の特徴として、
液体化粧料を貯留するとともに、外周面に雄ネジ部を螺設し、その内部に弾性を有するシゴキを内装する開口部を形成する塗布容器本体と、その開口部内に雌ネジ部を螺設するとともに、その根元部を挿嵌する固持軸の先端に塗布体を固持してなるキャップとから構成され、
上記シゴキは、塗布容器本体の開口部内に挿嵌保持される略円筒状のシゴキ本体と、該シゴキ本体の内周面全周にわたり、その先端の内周縁を前記固定軸の外径よりも略小径とする挿嵌孔を配設してなる逆円錐台形状に形成されたシゴキ片とからなり、
該シゴキ片の表面は、複数のシゴキ片分割部に分割し、複数のシゴキ片分割部のうち隣り合うシゴキ片分割部との境界に挿嵌孔の内周縁からシゴキ本体の内周面方向へ複数の段差を形成するものである。
【００１５】
そのため、塗布容器本体内においてシゴキ内の空気は、シゴキ片の表面において隣り合うシゴキ片分割部との境界に形成される複数の段差と、シゴキ片の挿嵌孔に挿入される固持軸の側面とによって形成される複数の空気流通路より外部に排出可能となる。その結果、塗布体をシゴキを通して塗布容器本体内に収納しても、圧縮空気は発生せず、ポンプアップ現象や液体化粧料の噴出を防止することができる。
【００１６】
第３の特徴として、
液体化粧料を貯留するとともに、外周面に雄ネジ部を螺設し、その内部に弾性を有するシゴキを内装する開口部を形成する塗布容器本体と、その開口部内に雌ネジ部を螺設するとともに、その根元部を挿嵌する固持軸の先端に塗布体を固持してなるキャップとから構成され、
上記シゴキは、塗布容器本体の開口部内に挿嵌保持される略円筒状のシゴキ本体と、該シゴキ本体の内周面全周にわたり、その先端の内周縁を前記固定軸の外径よりも略小径とし、その一部に内径方向へ突出して形成される小径部を有する挿嵌孔を配設してなる逆円錐台形状に形成されたシゴキ片とからなり、
該シゴキ片の表面は、シゴキ片の挿嵌孔の内周縁に形成される小径部に連なる突条部を挿嵌孔の内周端縁からシゴキ本体の内周面方向へ突設することで、該突条部の両側に沿って複数の段差を形成するものである。
【００１７】
そのため、塗布容器本体内においてシゴキ内の空気は、シゴキ片の表面に形成される突条部に沿って挿嵌孔の内周端縁からシゴキ本体の内周面方向へ形成される複数の段差と、シゴキ片の挿嵌孔に挿入される固持軸とによって形成される空気流通路によって外部へ排出可能となる。その結果、塗布体をシゴキを通して塗布容器本体内に収納しても、圧縮空気は発生せず、キャップのポンプアップ現象や液体化粧料の噴出を防止することができる。
【００１８】
しかも、シゴキ片の表面に形成される突条部の面積や配置を変化させると、突条部の両側に沿って形成される段差と固持軸の側面とにより形成される空気流通路の広狭や配置が変化するものとなる。その結果、ポンプアップ現象や液体化粧料の噴出の原因となる圧縮空気の発生を防止するように外部へシゴキ内の空気の排出をより効率的に行えるようにすることができる。
【００１９】
第４の特徴として、第１乃至第３の特徴を踏まえて、
上記キャップ内に根元部を挿嵌し、その先端に塗布体を固持する固持軸の側面に係合部を、シゴキを構成するシゴキ本体の内周面において、該固持軸の側面の係合部と密嵌する被係合部を配設してなるものである。
【００２０】
そのため、キャップを塗布容器本体に対して装着するために、塗布容器本体の開口部に対してキャップを一体に螺合させると、キャップの固持軸の側面に配設する係合部が、シゴキを構成するシゴキ本体の内周面に配設される被嵌合部へ密嵌する。その結果、固持軸の側面とシゴキの表面に形成される段差とにより形成される空気流通路は閉塞されるので、該空気流通路を通じて液体化粧料が漏出してしまうことを防止できる。
【００２１】
なお、上述のように塗布容器本体内に塗布体を収納した際に空気流通路から塗布容器本体内に貯留する液体化粧料が漏出を防止するために、固持軸の側面に配設される嵌合部とシゴキを構成するシゴキ本体の内周面に配設される被嵌合部とは互いに密嵌するものとしているが、固持軸の側面に弾性を有するＯリングを外装し、該Ｏリングの変形により空気流通路を閉塞しても良いものである。
【発明の効果】
【００２２】
本願発明の液体化粧料塗布容器のシゴキは固持軸及び該固持軸の先端に保持される塗布体を塗布容器本体内に収容する際にシゴキ内の空気をシゴキ片の表面の段差と固持軸の側面とにより形成される空気流通路から確実に排出できるのでポンプアップ現象や液体化粧料の噴出を防止できるとともに、シゴキ自体の形状を単純化して簡易に製造してシゴキの製造作業での作業効率を高めて製造コストの低減を図ることもできるという優れた効果を有する。
【図面の簡単な説明】
【００２３】
【図１】本願発明の実施例１である液体化粧料塗布容器の断面図である。
【図２】本願発明の実施例１である液体化粧料塗布容器の分解断面図である。
【図３】（イ）は本願発明の実施例１である液体化粧料塗布容器におけるシゴキの正面図、（ロ）は縦断面図、（ハ）は平面図、及び（ニ）は断面斜視図である。
【図４】本願発明の実施例１である液体化粧料塗布容器におけるシゴキの変形例の正面図である。
【図５】塗布容器本体内への塗布体収納時におけるシゴキの横断面の変化を示す模式図であって、（イ）固持軸を挿嵌する前の状態、（ロ）シゴキに固持軸を挿嵌した状態の要部拡大縦断面図である。
【図６】（イ）本願発明の実施例１である液体化粧料塗布容器におけるシゴキの変形例の正面図、及び（ロ）は縦断面図である。
【図７】（イ）本願発明の実施例２である液体化粧料塗布容器におけるシゴキの正面図である。
【図８】（イ）乃至（ニ）は、本願発明の実施例２である液体化粧料塗布容器におけるシゴキの変形例の平面図である。
【実施例１】
【００２４】
図１に示すものは、本願発明の実施例１である液体化粧料塗布容器１であり、該液体化粧料塗布容器１は、リップグロス等の液体化粧料３を貯留する塗布容器本体２と、固持軸１１を介して塗布体１２を先端に固持してなるキャップ１０とから構成される。
【００２５】
まず、上記塗布容器本体２は、外周面に雄ネジ部５を螺設し、その内部に弾性を有するシゴキ６を内装してなる開口部４を一体に形成するものである。
ここで、該シゴキ６は、塗布容器本体２の開口部４内に挿嵌保持される略円筒状のシゴキ本体７と、該シゴキ本体７の内周面７ａ全周にわたり、その先端における内周縁９ａの内径を前記固定軸１１の外径よりも略小径とする挿嵌孔９を配設してなる逆円錐台形状に形成されたシゴキ片８とからなるものである。
そして、該シゴキ片８の表面は、二分割したシゴキ片分割部８ａ間の境界に挿嵌孔９の内周縁９ａからシゴキ本体７の内周面７ａ方向へ段差８ｂを形成してなるものである。
なお、シゴキ片８の表面は、上述のように二分割して二つのシゴキ片分割部８ａとするだけではなく、例えば四分割して四つのシゴキ片分割部８ａ’として四本の段差８ｂ’を互いに対向する位置に形成するものとしても良いものである（図４参照）。
さらに、シゴキ本体７の内周面７ａにはキャップ１０の固持軸１１に外装されるシール体１３の本体部１３ａの側面に有する嵌合部としての突周縁１３ｂが密嵌することとなる被嵌合部としての嵌合溝７ｂが溝設されている。
【００２６】
一方、キャップ１０は、その開口部１０ａ内に雌ネジ部１０ｂを螺設するとともに、固持軸１１の根元部１１ａを挿嵌することで、該固持軸１１の先端に塗布体１２を固持するものである。
なお、塗布体１２を収納した後に塗布容器本体２内に貯留する液体化粧料３が後述の空気流通路１４を通して外部へ漏出することを防止するため、該空気流通路１４を確実に閉塞する必要がある。そこで、シゴキ片８の表面に密着するように逆円錐台形状に形成された本体部１３ａと、該本体部１３ａの側面において、シゴキ本体７の内周面７ａに溝設される被嵌合部としての嵌合溝７ｂと密嵌する固持軸１１の側面１１ａにおいて径方向へ突出する嵌合部としての突周縁１３ｂとからなるシール体１３を外装している。従って、塗布体１２を塗布容器本体２内に収納すると、固持軸１１のシール体１３の本体部１３ａはシゴキ片８と密着するとともに、該本体部１３ａの側面に有する突周縁１３ｂがシゴキ本体７の内周面７ａに溝設する嵌合溝７ｂと密嵌して固持軸１１の側面１１ａとシゴキ片８の表面に形成される段差８ｂとにより形成される空気流通路１４を閉塞する。その結果、塗布容器本体２内に貯留される液体化粧料３は空気流通路１４を通じて外部へ漏出することを防止できる。
【００２７】
以上のとおり、本願発明の実施例１である液体化粧料塗布容器１は構成されているので、塗布体１２を塗布容器本体２内に収納する際には次のようになる。
【００２８】
即ち、キャップ１０に固持軸１１を介して先端に固持された塗布体１２を、塗布容器本体２内に収納するため、塗布容器本体２の開口部４に内装されるシゴキ６を通じて塗布体１２を挿入すると、シゴキ６のシゴキ片８は弾性を持って固持軸１１の側面１１ａに密着する。
そして、固持軸１１の側面１１ａと密着するシゴキ６のシゴキ片８の表面は、二分割されたシゴキ片分割部８ａ間の境界に挿嵌孔９の内周縁９ａからシゴキ本体７の内周面７ａ方向へ段差８ｂが形成されている。
そのため、固持軸１１の側面１１ａと、該シゴキ片８の表面に形成される段差８ｂとにより塗布容器本体２内においてシゴキ６内と外部とを連通してなる空気流通路１４が形成されることになる。
従って、固持軸１１の側面１１ａとシゴキ６のシゴキ片８とが密着しているにもかかわらず、塗布体１２をシゴキ６を通じて塗布体容器本体２内へ挿入するとシゴキ６内の空気は空気流通路１４を通して外部に排出されて圧縮空気は発生することはない。
その結果、キャップ１０のポンプアップ現象や液体化粧料３の噴出を確実に防止することができる。
その上で、キャップ１０の開口部１０ａ内に螺設される雌ネジ部１０ｂと塗布容器本体２の開口部４の外周面に螺設する雄ネジ部５とを螺合させることによりキャップ１０と塗布容器本体２とを一体にすると、該固持軸１１の側面１１ａに外装されるシール体１３の本体部１３ａはシゴキ片８と密着すると同時に、シール体１３の本体部１３ａの側面に突設する突周縁１３ｂはシゴキ本体７の内周面に溝設する嵌合溝７ｂと密嵌する。そのため、塗布容器本体２内に貯留するリップグロス等の液体化粧料３は空気流通路１４を通して外部へ漏出することはない。
【実施例２】
【００２９】
１’は、本願発明の実施例２である液体化粧料容器であり、本願発明の実施例２である該液体化粧料容器１’と実施例１の液体化粧料容器１とは、塗布容器本体２及びキャップ１０の構成において概ね共通するものである。
しかしながら、塗布容器本体２の開口部４内に内装されるシゴキ６’、特にシゴキ本体７’とともにシゴキ６’を形成するシゴキ片８’が相違する。
即ち、上記シゴキ６’は、塗布容器本体２の開口部４内に挿嵌保持される略円筒状のシゴキ本体７’と、該シゴキ本体７’の内周面７ａ’全周にわたり、その先端における内周縁９ａ’を前記固定軸１１の外径よりも略小径とし、その一部に内径方向へ突出して形成される小径部１５を有する挿嵌孔９’を配設してなる逆円錐台形状に形成されたシゴキ片８’とからなる。
そして、該シゴキ片８’の表面では、シゴキ片８’の挿嵌孔９’の内周縁９ａ’において１／２を占めるように形成される小径部１５に連なる突条部１６を挿嵌孔９’の内周縁からシゴキ本体７’の内周面７ａ’方向へ形成する。従って、該突条部１６の両側に沿って段差８ｂ’が形成されるものとなる。
なお、シゴキ片８’の挿嵌孔９’の内周縁９ａ’において形成される小径部１５に連なるシゴキ片８’の表面の突条部１６は、先端に塗布体１２を固持する固持軸１１の太さや液体化粧料３の性状によって、図８（イ）乃至（ニ）に示すように、シゴキ片８’の表面に占める突条部１６の位置や面積を可変させ又は、突条部１６を複数形成することを適宜選択するものである。
【００３０】
以上のとおり、本願発明の実施例２である液体化粧料容器１’のシゴキ６’は構成されているので、シゴキ片８’の表面に形成される突条部１６の両側に沿って形成される段差８’と、固定軸１１の側面１１ａとにより塗布体容器本体２内のシゴキ６’内と外部とを連通する空気流通路１４が形成されることになる。
従って、塗布体容器本体２内に塗布体１２をシゴキ６’を通じて挿入しても、シゴキ６’内の空気は円滑に外部へ排出されるので、圧縮空気は発生しないものである。
その結果、キャップ１０のポンプアップ現象やリップグロス等の液体化粧料３の噴出を確実に防止することができる。
【産業上の利用可能性】
【００３１】
表面に段差を有するシゴキ片を一体に形成するシゴキにより、塗布体を塗布容器本体内に収納する際に発生するキャップのポンプアップ現象や液体化粧料の噴出を確実に防止できるので、リップグロスのみならずマスカラ等のあらゆる液体化粧料を収納する液体化粧料塗布容器でも適用することができる。
【符号の説明】
【００３２】
１、１’    液体化粧料塗布容器
２    塗布容器本体
３    液体化粧料
４    開口部
５    雄ネジ部
６、６’    シゴキ
７、７’    シゴキ本体
７ａ、７ａ’    内周面
８、８’    シゴキ片
８ａ、８ａ’    シゴキ片分割部
８ｂ、８ｂ’    段差
９、９’    挿嵌孔
９ａ、９ａ’    内周縁
１０    キャップ
１１    固持軸
１２    塗布体
１３    シール体
１３ａ    本体部
１３ｂ    突周縁
１４    空気流通路
１５    小径部
１６    突条部
【図１】
2010246655.tif 000003
【図２】
2010246655.tif 000004
【図３】
2010246655.tif 000005
【図４】
2010246655.tif 000006
【図５】
2010246655.tif 000007
【図６】
2010246655.tif 000008
【図７】
2010246655.tif 000009
【図８】
2010246655.tif 000010